【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるスケジューリングエンティティと1つまたは複数のスケジュールドエンティティのセットとの間のワイヤレス通信の方法であって、前記スケジューリングエンティティにおいて、
複数のチャネル状態情報基準信号(CSI-RS)リソースを構成するステップであって、各CSI-RSリソースが、CSI-RSをその上で送信するための1つまたは複数のリソース要素のセットと、前記CSI-RSをそこから送信するための1つまたは複数のポートのセットとを識別する、ステップと、
前記複数のCSI-RSリソースの各々に対して、1つまたは複数のポートグループのセットを構成するステップであって、各ポートグループが、チャネルに関連付けられたそれぞれのポートのセット内のポートのグループを識別する、ステップと、
1つまたは複数のスケジュールドエンティティの前記セットのうちのスケジュールドエンティティに対する、前記複数のCSI-RSリソースからのCSI-RSリソースおよび前記CSI-RSリソースの1つまたは複数のポートグループの前記セットからのポートグループを選択するステップと、
前記スケジュールドエンティティのために選択された前記CSI-RSリソースおよび前記ポートグループの指示を前記スケジュールドエンティティに送信するステップと、
1つまたは複数のリソース要素の前記セットおよび前記CSI-RSリソースに関連付けられた1つまたは複数のポートの前記セットを利用して前記CSI-RSを前記スケジュールドエンティティに送信するステップと、
前記ポートグループによって示される前記ポートのグループ上で測定されたチャネル状態情報(CSI)を前記スケジュールドエンティティから受信するステップと、
前記ポートのグループの外の前記ポートのセット内の他のポート上で少なくとも一部測定される干渉測定値を前記スケジュールドエンティティから受信するステップと
を含む、方法。
【請求項２】
i)前記複数のCSI-RSリソースの各々に対する1つまたは複数のポートグループの前記セットを1つまたは複数のスケジュールドエンティティの前記セットに送信するステップ、
ii)前記スケジュールドエンティティのために選択された前記CSI-RSリソースおよび前記ポートグループの前記指示を前記スケジュールドエンティティに送信するステップが、
前記スケジュールドエンティティのために選択された前記CSI-RSリソースおよび前記ポートグループの前記指示を物理ダウンリンク制御チャネル(PDCCH)のダウンリンク制御情報(DCI)内で前記スケジュールドエンティティに送信するステップをさらに含む、
iii)前記スケジュールドエンティティのために選択された前記CSI-RSリソースおよび前記ポートグループの前記指示を前記スケジュールドエンティティに送信するステップが、
前記スケジュールドエンティティのために選択された前記CSI-RSリソースおよび前記ポートグループの前記指示を無線リソース制御(RRC)メッセージまたはMAC CE内で前記スケジュールドエンティティに送信するステップをさらに含む、
iv)前記CSI-RSリソースの各々に対する1つまたは複数のポートグループの前記セット内の各ポートグループが、連続番号を付されたポートを含む、
v)前記CSI-RSリソースのうちの少なくとも1つに対する1つまたは複数のポートグループの前記セットが、1つまたは複数のポートグループの前記セットの各ポートグループ内に含まれるポートの数に基づくネストされたポートグループを含む、
vi)1つまたは複数のスケジュールドエンティティの前記セットのうちの前記スケジュールドエンティティに対する、前記複数のCSI-RSリソースからの前記CSI-RSリソースおよび前記CSI-RSリソースの1つまたは複数のポートグループの前記セットからの前記ポートグループを選択するステップが、
前記スケジュールドエンティティによってサポートされる最大のポートの数に基づいて前記CSI-RSリソースの1つまたは複数のポートグループの前記セットから前記ポートグループを選択するステップをさらに含む、
vii)1つまたは複数のCSI-RSリソースセッティングのセットを構成するステップであって、各CSI-RSリソースセッティングが、前記CSI-RSの測定値に基づいて生成されるべき報告のタイプおよび周期を示すそれぞれの報告セッティングに関連付けられる、ステップと、
1つまたは複数のCSI-RSリソースセッティングの前記セット内の各CSI-RSリソースセッティングに対して、1つまたは複数のCSI-RSリソースセットのセットを構成するステップとをさらに含み、各CSI-RSリソースセットが、前記CSI-RSリソースセッティングに関連付けられた前記報告または前記測定値の構成を示し、
前記複数のCSI-RSリソースが、1つまたは複数のCSI-RSリソースセットの前記セットの間で分割される、
i)〜vii)のうちの1つを含む、請求項1に記載の方法。
【請求項３】
前記複数のCSI-RSリソースの各々に対する1つまたは複数のポートグループの前記セットを送信するステップが、
前記複数のCSI-RSリソースの各々に対する1つまたは複数のポートグループの前記セットを無線リソース制御(RRC)メッセージ内で1つまたは複数のスケジュールドエンティティの前記セットに送信するステップをさらに含む、請求項2の選択肢i)に記載の方法。
【請求項４】
前記スケジュールドエンティティのために選択された前記CSI-RSリソースおよび前記ポートグループの前記指示を前記スケジュールドエンティティに送信するステップが、
前記スケジュールドエンティティのために選択された前記ポートグループを含む、前記スケジュールドエンティティのために選択された前記CSI-RSリソースに対する1つまたは複数のポートグループの前記セット内のポートグループサブセットを識別するステップと、
ポートグループサブセット指示をメディアアクセス制御(MAC)制御要素(CE)内で前記スケジュールドエンティティに送信するステップと、
前記スケジュールドエンティティのために選択された前記ポートグループの前記指示を前記PDCCHの前記DCI内で送信するステップとをさらに含む、請求項2の選択肢ii)に記載の方法。
【請求項５】
前記複数のCSI-RSリソースの第1のCSI-RSリソースに対する1つまたは複数のポートグループの前記セット内の第1のポートグループが、第1のポートのグループと第1のポートの数とを含み、前記第1のCSI-RSリソースに対する1つまたは複数のポートグループの前記セット内の第2のポートグループが、第2のポートのグループと前記第1のポートの数より小さい第2のポートの数とを含み、前記第1のポートのグループが、前記第2のポートのグループのすべてを含む、請求項2の選択肢v)に記載の方法。
【請求項６】
ワイヤレス通信ネットワークにおいて1つまたは複数のスケジュールドエンティティのセットとワイヤレス通信しているスケジューリングエンティティであって、
プロセッサと、
前記プロセッサに通信可能に結合されたトランシーバと、
前記プロセッサに通信可能に結合されたメモリとを備え、前記プロセッサが、
複数のチャネル状態情報基準信号(CSI-RS)リソースを前記メモリ内に構成して維持することであって、各CSI-RSリソースが、CSI-RSをその上で送信するための1つまたは複数のリソース要素のセットと、前記CSI-RSをそこから送信するための1つまたは複数のポートのセットとを識別する、構成して維持することと、
前記複数のCSI-RSリソースの各々に対して、1つまたは複数のポートグループのセットを前記メモリ内に構成して維持することであって、各ポートグループが、チャネルに関連付けられたそれぞれのポートのセット内のポートのグループを識別する、構成して維持することと、
1つまたは複数のスケジュールドエンティティの前記セットのうちのスケジュールドエンティティに対する、前記複数のCSI-RSリソースからのCSI-RSリソースおよび前記CSI-RSリソースの1つまたは複数のポートグループの前記セットからのポートグループを選択することと、
前記スケジュールドエンティティのために選択された前記CSI-RSリソースおよび前記ポートグループの指示を前記トランシーバを介して前記スケジュールドエンティティに送信することと、
1つまたは複数のリソース要素の前記セットおよび前記CSI-RSリソースに関連付けられた1つまたは複数のポートの前記セットを利用して前記CSI-RSを前記スケジュールドエンティティに送信することとを行うように構成される、スケジューリングエンティティ。
【請求項７】
i)前記プロセッサが、
前記ポートグループによって示される前記ポートのグループ上で測定されたチャネル状態情報(CSI)を前記スケジュールドエンティティから受信することと、
前記ポートのグループの外の1つまたは複数のポートの前記セット内の他のポート上で少なくとも一部測定される干渉測定値を前記スケジュールドエンティティから受信することとを行うようにさらに構成される、
ii)前記プロセッサが、
前記複数のCSI-RSリソースの各々に対する1つまたは複数のポートグループの前記セットを1つまたは複数のスケジュールドエンティティの前記セットに送信するようにさらに構成される、
iii)前記プロセッサが、
前記スケジュールドエンティティのために選択された前記CSI-RSリソースおよび前記ポートグループの前記指示を物理ダウンリンク制御チャネル(PDCCH)のダウンリンク制御情報(DCI)内で前記スケジュールドエンティティに送信するようにさらに構成される、
iv)前記プロセッサが、
前記スケジュールドエンティティのために選択された前記CSI-RSリソースおよび前記ポートグループの前記指示を無線リソース制御(RRC)メッセージまたはMAC CE内で前記スケジュールドエンティティに送信するようにさらに構成される、
v)前記CSI-RSリソースの各々に対する1つまたは複数のポートグループの前記セット内の各ポートグループが、連続番号を付されたポートを含む、
vi)前記CSI-RSリソースのうちの少なくとも1つに対する1つまたは複数のポートグループの前記セットが、1つまたは複数のポートグループの前記セットの各ポートグループ内に含まれるポートの数に基づくネストされたポートグループを含む、
vii)前記プロセッサが、
前記スケジュールドエンティティによってサポートされる最大のポートの数に基づいて前記CSI-RSリソースの1つまたは複数のポートグループの前記セットから前記ポートグループを選択するようにさらに構成される、
viii)前記プロセッサが、
1つまたは複数のCSI-RSリソースセッティングのセットを構成することであって、各CSI-RSリソースセッティングが、前記CSI-RSの測定値に基づいて生成されるべき報告のタイプおよび周期を示すそれぞれの報告セッティングに関連付けられる、構成することと、
1つまたは複数のCSI-RSリソースセッティングの前記セット内の各CSI-RSリソースセッティングに対して、1つまたは複数のCSI-RSリソースセットのセットを構成することとを行うようにさらに構成され、各CSI-RSリソースセットが、前記CSI-RSリソースセッティングに関連付けられた前記報告または前記測定値の構成を示し、
前記複数のCSI-RSリソースが、1つまたは複数のCSI-RSリソースセットの前記セットの間で分割される、
i)〜viii)のうちの1つを含む、請求項6に記載のスケジューリングエンティティ。
【請求項８】
前記プロセッサが、
前記複数のCSI-RSリソースの各々に対する1つまたは複数のポートグループの前記セットを無線リソース制御(RRC)メッセージ内で1つまたは複数のスケジュールドエンティティの前記セットに送信するようにさらに構成される、請求項7の選択肢ii)に記載のスケジューリングエンティティ。
【請求項９】
前記プロセッサが、
前記スケジュールドエンティティのために選択された前記ポートグループを含む、前記スケジュールドエンティティのために選択された前記CSI-RSリソースに対する1つまたは複数のポートグループの前記セット内のポートグループサブセットを識別することと、
ポートグループサブセット指示をメディアアクセス制御(MAC)制御要素(CE)内で前記スケジュールドエンティティに送信することと、
前記スケジュールドエンティティのために選択された前記ポートグループの前記指示を前記PDCCHの前記DCI内で送信することとを行うようにさらに構成される、請求項7の選択肢iii)に記載のスケジューリングエンティティ。
【請求項１０】
前記複数のCSI-RSリソースの第1のCSI-RSリソースに対する1つまたは複数のポートグループの前記セット内の第1のポートグループが、第1のポートのグループおよび第1のポートの数を含み、前記第1のCSI-RSリソースに対する1つまたは複数のポートグループの前記セット内の第2のポートグループが、第2のポートのグループおよび前記第1のポートの数より小さい第2のポートの数を含み、前記第1のポートのグループが、前記第2のポートのグループのすべてを含む、請求項7の選択肢vi)に記載のスケジューリングエンティティ。
【請求項１１】
ワイヤレス通信ネットワークにおけるスケジュールドエンティティとスケジューリングエンティティとの間のワイヤレス通信の方法であって、前記スケジュールドエンティティにおいて、
チャネル状態情報基準信号(CSI-RS)をその上で受信するための1つまたは複数のリソース要素のセットと、前記CSI-RSをそこから受信するための1つまたは複数のポートのセットとを識別するCSI-RSリソースの指示を受信するステップと、
ポートグループのポートグループ指示を受信するステップであって、前記ポートグループが、チャネルのチャネル推定をその上で実行するための前記CSI-RSリソースの1つまたは複数のポートの前記セット内のポートのグループを含む、ステップと、
1つまたは複数のリソース要素の前記セット、および前記CSI-RSリソースに関連付けられた1つまたは複数のポートの前記セットの上で前記CSI-RSを受信するステップと、
前記ポートグループ指示によって示される前記ポートグループ内の前記ポートのグループ上のチャネル状態情報(CSI)を計算するステップと、
前記CSIを前記スケジューリングエンティティに送信するステップとを含む、方法。
【請求項１２】
i)前記ポートのグループの外の1つまたは複数のポートの前記セット内の他のポート上で非ゼロ電力(NZP)干渉測定値を測定するステップと、
前記NZP干渉測定値を前記スケジューリングエンティティに送信するステップとをさらに含む、
ii)複数のCSI-RSリソースの各々に対する1つまたは複数のポートグループのそれぞれのセットを受信するステップをさらに含む、
iii)前記CSI-RSリソースの前記指示を受信するステップおよび前記ポートグループ指示を受信するステップが、
物理ダウンリンク制御チャネル(PDCCH)のダウンリンク制御情報(DCI)内で前記CSI-RSリソースの前記指示および前記ポートグループ指示を受信するステップをさらに含み、
前記CSI-RSリソースの前記指示を受信するステップおよび前記ポートグループ指示を受信するステップが、
無線リソース制御(RRC)メッセージまたはMAC CE内で前記CSI-RSリソースの前記指示および前記ポートグループ指示を受信するステップをさらに含む、
i)〜iii)のうちの1つを含む、請求項11に記載の方法。
【請求項１３】
前記複数のCSI-RSリソースの各々に対する1つまたは複数のポートグループの前記それぞれのセットを受信するステップが、
無線リソース制御(RRC)メッセージ内で前記複数のCSI-RSリソースの各々に対する1つまたは複数のポートグループの前記それぞれのセットを受信するステップをさらに含む、請求項12の選択肢ii)に記載の方法。
【請求項１４】
前記ポートグループ指示を受信するステップが、
メディアアクセス制御(MAC)制御要素(CE)内で前記ポートグループを含む前記CSI-RSリソースに対する1つまたは複数のポートグループの前記セット内のポートグループサブセットを受信するステップと、
前記PDCCHの前記DCI内で前記ポートグループ指示を受信するステップとをさらに含む、  請求項12の選択肢iii)に記載の方法。
【請求項１５】
ワイヤレス通信ネットワークにおいてスケジューリングエンティティとワイヤレス通信しているスケジュールドエンティティであって、
プロセッサと、
前記プロセッサに通信可能に結合されたトランシーバと、
前記プロセッサに通信可能に結合されたメモリとを備え、前記プロセッサが、
チャネル状態情報基準信号(CSI-RS)をその上で受信するための1つまたは複数のリソース要素のセットおよび前記CSI-RSをそこから前記トランシーバを介して受信するための1つまたは複数のポートのセットを識別するCSI-RSリソースの指示を受信することと、
ポートグループのポートグループ指示を受信することであって、前記ポートグループが、チャネルのチャネル推定をその上で前記トランシーバを介して実行するための前記CSI-RSリソースの1つまたは複数のポートの前記セット内のポートのグループを含む、受信することと、
1つまたは複数のリソース要素の前記セット、および前記CSI-RSリソースに関連付けられた1つまたは複数のポートの前記セットの上で前記CSI-RSを前記トランシーバを介して受信することと、
前記ポートグループ指示によって示される前記ポートグループ内の前記ポートのグループ上のチャネル状態情報(CSI)を計算することと、
前記CSIを前記トランシーバを介して前記スケジューリングエンティティに送信することとを行うように構成される、スケジュールドエンティティ。